(57)【要約】      （修正有）【課題】病院の外来者の受付時に於いて、外来者自身の操作により、カルテ用の問診票を簡単に作成することができること。【解決手段】携帯入力手段は、問診票作成プログラム２６を記憶する記憶手段５から制御手段６が読み出した前記問診票データをタッチパネル式の表示画面７に表示するステップと、当該患者の情報を患者テーブル２１に登録するステップと、一方、顔写真撮影手段８によって撮影された当該患者の顔写真のイメージデータを患者テーブル２１に登録された患者名に関連付けて患者イメージファィルに登録するステップと、制御手段に接続する問診識別手段９が患者イメージファィルに登録された患者の要因コードに関連付けて問診データファイル２５に患者の識別コードを割り当てるステップと、患者がその場で入力情報を確認した後、問診データファイル２５を患者の基本データｄとしてプリンター端末２に入力し、該プリンター端末２によりカルテ用問診票３をプリントアウトするステップとを備えた外来者の問診票作成装置。【選択図】  図１
2004220157.tif 000002
【特許請求の範囲】
【請求項１】
少なくとも１台以上のタッチパネル式の携帯入力手段と、この携帯入力手段から出力された外来者（患者）の基本データをプリントアウトするプリンター端末とから成り、前記携帯入力手段は、問診票作成プログラム２６を記憶する記憶手段５から制御手段６が読み出した問診票データをタッチパネル式の表示画面７に表示するステップと、当該患者の情報を受付要因として患者テーブル２１に登録するステップと、一方、顔写真撮影手段８によって撮影された当該患者の受付要因として顔写真のイメージデータを前記患者テーブル２１に登録された患者名に関連付けて患者イメージファィルに登録するステップと、制御手段に電気的に接続する問診識別手段９が患者イメージファィルに登録された患者の要因コードに関連付けて問診データファイル２５に患者の識別コードを割り当てるステップと、患者がその場で入力情報を確認した後、問診データファイル２５を患者の基本データｄとしてプリンター端末２に入力し、該プリンター端末２により少なくともカルテ用問診票３をプリントアウトするステップとを備えた外来者の問診票作成装置。
【請求項２】
請求項１に於いて、携帯入力手段は、複数個存在し、これらの携帯入力手段に入力された患者の基本データｄが、サーバ側のプリンター端末２に逐一蓄積されることを特徴とする外来者の問診票作成装置。
【請求項３】
請求項１に於いて、プリンター端末に外来者を特定する住所・氏名などの文字情報入力手段が設けられていることを特徴とする外来者の問診票作成装置。
【請求項４】
請求項１に於いて、プリンター端末２Ａは、端末記憶手段５０に問診票作成プログラム５１を格納し、該問診票作成プログラムは、問診票としてレイアウトされた複数個のフイールドに、住所・氏名等の外来者を特定する特定人情報と、この特定人情報に関連付けられた顔写真情報と、当該特定人の問診結果情報とをそれぞれ一覧表形式で位置付けし、該端末制御手段５２が、前記問診票作成プログラム５１で作成されたカルテ用問診表に関する患者の基本データｄを制御することを特徴とする外来者の問診票作成装置。
【請求項５】
請求項１に於いて、プリンター端末の問診票作成プログラムは、問診票としてレイアウトされた複数個のフイールドに、患者識別用の複数枚の小写真を横方向に並べる機能を有していることを特徴とする外来者の問診票作成装置。
【請求項６】
請求項５に於いて、患者識別用の複数枚の小写真には、当該患者の氏名が貼り付けられていることを特徴とする外来者の問診票作成装置。
【請求項７】
少なくとも１台以上のタッチパネル式の携帯入力手段１Ｂと、この携帯入力手段から出力された外来者の問診データに基づいて最終的な問診票３をプリントアウトするプリンター端末２Ｂとから成り、前記携帯入力手段１Ｂは、問診票作成プログラム２６を記憶する記憶手段５から制御手段６が読み出した問診票データをタッチパネル式の表示画面７に表示するステップと、当該外来者の情報を受付要因としてプリンター端末２Ｂ側の患者テーブル２１に登録するステップと、一方、プリンター端末２Ｂに設けた顔写真撮影手段８によって撮影された当該患者の受付要因として顔写真のイメージデータｂを前記患者テーブル２１に登録された患者名に関連付けて患者イメージファィルに登録するステップと、少なくともプリンター端末２Ｂの制御手段５２Ｂに電気的に接続する問診識別手段９Ｂが患者イメージファィルに登録された患者の要因コードに関連付けて問診データファイル２５に患者の識別コードを割り当てるステップと、患者がプリンター端末２Ｂの表示手段１４で入力済の基本データｄを確認した後、問診データファイル２５の患者の基本データｄを、該プリンター端末２Ｂにより、少なくともカルテ用問診票３としてプリントアウトするステップとを備えた外来者の問診票作成装置。
【請求項８】
少なくとも１台以上の携帯入力手段１Ｃと、この携帯入力手段の顔写真撮影手段８によって撮影した当該外来者の受付要因として顔写真のイメージデータに基づいて最終的な問診票３をプリントアウトするプリンター端末２Ｃとから成り、前記プリンター端末２Ｃは、その制御手段５２Ｃが記憶手段２６Ｃから問診票データを読み出してタッチパネル式表示手段１４に表示するステップと、当該外来者の情報を受付要因としてプリンター端末２Ｂ側の患者テーブル２１に登録するステップと、前記携帯入力手段１Ｃで入力された当該外来者の顔写真のイメージデータｂを前記患者テーブル２１に登録された患者名に関連付けて患者イメージファィルに登録するステップと、少なくとも制御手段５２Ｃに電気的に接続する問診識別手段９Ｃが患者イメージファィルに登録された患者の要因コードに関連付けて問診データファイル２５に患者の識別コードを割り当てるステップと、患者がその場で入力済の基本データｄを前記表示画面１４で確認した後、問診データファイル２５の患者の基本データｄを、該プリンター端末２Ｃにより、少なくともカルテ用問診票３としてプリントアウトするステップとを備えた外来者の問診票作成装置。
【発明の詳細な説明】
【０００１】
【発明の属する技術分野】
本発明は、病院の外来者の受付時に於いて、カルテ用の問診票を自動的に作成することができる外来者の問診票作成装置に関する。
【０００２】
【従来の技術】
従来例としては、特開２００１−３０６７０４号公報がある。この従来例の目的は、患者の取り違えなどに起因する医療ミスを未然に防止することであり、その構成は、「入院患者の顔写真などにより患者のイメージデータを作成すると同時に、当該患者の氏名，生年月日，年令，性別，血液型，担当診療科などを内容とする患者データを作成して、前記イメージデータと患者データとをリンクさせ、これに固有のコードを付与した形でコンピュータの記憶部に格納し、前記コンピュータに格納されたデータから個々の患者ごとに当該患者の顔写真とその患者データの内容と固有コードが複数枚のシールとして記載された基シートをプリントアウトし、各シールを基シートから取り外してその患者のカルテを始めとする関係書類やその患者が使用する医療用具や薬剤容器などに貼付すること」である。
【０００３】
したがって、従来の実施例は、特に医師が取り扱う患者のカルテに当該患者の顔写真とその患者データが印刷されたシールを貼付するので、患者の取り違えを未然に防止することができるという利点がある。
【０００４】
ところで、現在、このような従来例の利点を生かすことを目的とした上で、外来者に対する受付時、問診内容を含む基本データをその場で外来者自身が主体となって迅速かつ簡単に作成し、しかもシート或いはシール的にプリントアウトして患者のカルテに添付或いは貼付することができる問診票作成装置の出現が要望されている。
【０００５】
【発明が解決しようとする課題】
本発明の第１の目的は、病院の外来者（患者）の受付時に於いて、不特定多数の外来者自身がそれぞれ同じ時間帯にバラバラに入力した各患者の基本データを集中的にサーバ側のプリンター端末に入力し、効率的にカルテ用の問診票を作成することができることである。第２の目的は、外来者自身が簡単かつ正確にカルテ用の問診票を作成することができることである。第３の目的は、極力プリンター端末の台数を減らし、装置の設置スペースを取らないようにすることである。第４の目的は、問診票からその患者の顔写真と氏名とが一体となった識別シール或いはシートを得ることである。なお、当該識別シールはその患者が使用する医療用具、薬剤容器、薬袋、装着バンドなど被識別対象物に貼付することができる。
【０００６】
【課題を解決するための手段】
本発明の外来者の問診票作成装置は、少なくとも１台以上のタッチパネル式の携帯入力手段１と、この携帯入力手段から出力された外来者の基本データをプリントアウトするプリンター端末２とから成り、前記携帯入力手段は、問診票作成プログラム２６を記憶する記憶手段５から制御手段６が読み出した前記問診票データをタッチパネル式の表示画面７に表示するステップと、当該患者の情報を受付要因として患者テーブル２１に登録するステップと、一方、顔写真撮影手段８によって撮影された当該患者の受付要因として顔写真のイメージデータを前記患者テーブル２１に登録された患者名に関連付けて患者イメージファィルに登録するステップと、制御手段に電気的に接続する問診識別手段９が患者イメージファィルに登録された患者の要因コードに関連付けて問診データファイル２５に患者の識別コードを割り当てるステップと、患者がその場で入力情報を確認した後、問診データファイル２５を患者の基本データｄとしてプリンター端末２に入力し、該プリンター端末２によりカルテ用問診票３をプリントアウトするステップとを備えたことを特徴とする。
【０００７】
また本発明の外来者の問診票作成装置は、少なくとも１台以上のタッチパネル式の携帯入力手段１Ｂと、この携帯入力手段から出力された外来者の問診データに基づいて最終的な問診票３をプリントアウトするプリンター端末２Ｂとから成り、前記携帯入力手段１Ｂは、問診票作成プログラム２６を記憶する記憶手段５から制御手段６が読み出した問診票データをタッチパネル式の表示画面７に表示するステップと、当該外来者の情報を受付要因としてプリンター端末２Ｂ側の患者テーブル２１に登録するステップと、一方、プリンター端末２Ｂに設けた顔写真撮影手段８によって撮影された当該患者の受付要因として顔写真のイメージデータｂを前記患者テーブル２１に登録された患者名に関連付けて患者イメージファィルに登録するステップと、少なくともプリンター端末２Ｂの制御手段５２Ｂに電気的に接続する問診識別手段９Ｂが患者イメージファィルに登録された患者の要因コードに関連付けて問診データファイル２５に患者の識別コードを割り当てるステップと、患者がプリンター端末２Ｂの表示手段１４で入力済の基本データｄを確認した後、問診データファイル２５の患者の基本データｄを、該プリンター端末２Ｂにより、少なくともカルテ用問診票３としてプリントアウトするステップとを備えている。
【０００８】
さらに、本発明の外来者の問診票作成装置は、少なくとも１台以上の携帯入力手段１Ｃと、この携帯入力手段の顔写真撮影手段８によって撮影した当該外来者の受付要因として顔写真のイメージデータに基づいて最終的な問診票３をプリントアウトするプリンター端末２Ｃとから成り、前記プリンター端末２Ｃは、その制御手段５２Ｃが記憶手段２６Ｃから問診票データを読み出してタッチパネル式表示手段１４に表示するステップと、当該外来者の情報を受付要因としてプリンター端末２Ｂ側の患者テーブル２１に登録するステップと、前記携帯入力手段１Ｃで入力された当該外来者の顔写真のイメージデータｂを前記患者テーブル２１に登録された患者名に関連付けて患者イメージファィルに登録するステップと、少なくとも制御手段５２Ｃに電気的に接続する問診識別手段９Ｃが患者イメージファィルに登録された患者の要因コードに関連付けて問診データファイル２５に患者の識別コードを割り当てるステップと、患者がその場で入力済の基本データｄを前記表示画面１４で確認した後、問診データファイル２５の患者の基本データｄを、該プリンター端末２Ｃにより、少なくともカルテ用問診票３としてプリントアウトするステップとを備えている。
【０００９】
【発明の実施の形態】
図１〜図７は、本発明の第１実施例を示す。図１は本発明のシステムのブロック図、図２はシステムのハード構成の外観図、図３は本発明で得られる問診票の一例を示す。まず、図１〜図３を参照にしてシステム全体を簡単に説明する。
【００１０】
問診票作成装置Ｘは、複数個のタッチパネル式携帯入力手段１と、この携帯入力手段から出力された外来者（患者）の基本データをプリントアウトするプリンター端末２とから成る。プリンター端末２からプリントアウトされると、図３に示すカルテ添付用又は貼付用の問診票３が得られる。この問診票３はシート又はシールである。
【００１１】
図１で示すように、少なくとも１台以上の携帯入力手段（本実施例では合計３台）１は、顔写真撮影手段（デジタルカメラ）と、文字情報入力用ペン（スタイラスペン）と、問診用の表示画面（タッチパネル式）等をそれぞれ有している。なお、携帯入力手段１は同種の入力手段として識別コード化されている。
【００１２】
すなわち、５は問診票データを記憶する記憶手段、６は記憶手段から読み出した前記問診票データをタッチパネル式の表示手段（画面）７に表示する制御手段、８は外来者の顔写真撮影手段、９は顔写真撮影手段によって撮影されたイメージデータと前記表示画面を介して入力された問診データとを要因コード等によりリンクさせる問診識別手段、１０は問診識別手段９により識別された少なくともイメージデータ並びに問診データを含む外来者の基本データｄをプリンター端末２に出力する出力手段である。
【００１３】
装置の外観を示す図２を参照にすると、携帯入力手段１の大きさは、現在市販されている電子手帳、ポケットルークス（商標）などのように大人の片手で握ることができる程度である。タッチパネル式の表示手段（画面）７は、携帯手帳のように縦長である。文字情報入力用ペン（スタイラスペン）１１は、箱型のプリンター端末２の側壁２ａに形成された少なくとも１つ以上のペン差し込み部１２から自由に取り出すことができる。また文字情報入力用ペン１１も、前記側壁２ａに突出形成された携帯入力手段差し込み部１３から自由に取り出すことができる。
【００１４】
プリンター端末２は、上壁２ｂにタッチパネル式の端末表示画面１４を有している。プリント時、この端末表示画面１４でも基本データの内容を確認することができる。さらに、前壁２ｃには、プリントアウトされた問診票３の取り出し口１５が形成されている。図３はプリントアウトされた問診票３の一例である。
図４はハードウェアの主たる構成図である。前述したように、本実施例では少なくとも１台以上の携帯入力手段１から制御手段６に必要な情報が入力される。
【００１５】
ここで「必要な情報」としては、
（１）まず、受診年月日、患者の住所・氏名、生年月日など外来者を特定する特定人情報ａがある。この特定人情報ａは、受付要因として患者受付（登録）手段２０を介して記憶手段５の患者テーブル２１に登録（蓄積）される。特定人情報ａは、文字情報入力用ペン１１と表示画面７とを利用して適宜に行われる。
（２）次に、顔写真撮影手段としてのデジタルカメラを利用して当該患者の顔写真のイメージデータを撮る。ここでの顔写真はいわゆるイメージデータｂである。このイメージデータｂは、第２の受付要因として患者イメージ受付手段２２を介して記憶手段５の患者イメージファイル２３に登録（蓄積）される。
（３）次に患者は、表示画面７に表示されている問診票データを見ながら、問診に答える。表示画面７には、図３で示すように、例えば「しっしん、かぶれができた事がありますか。」、「ぜんそくといわれた事がありますか。」、「じんましんができた事がありますか。」など複数個の問診内容が表示されているので、それぞれの回答欄に文字情報入力用ペン１１を触れる。そうすると、患者は「なし」又は「ある」のいずれかを簡単に回答することができる。この問診データｃは、いわば案件データ或いは派生要因として問診データ受付手段２４を介して記憶手段５の問診データファイル２５に登録（蓄積）される。
【００１６】
２６は記憶手段５に格納された問診票作成プログラムである。該問診票作成プログラム２６は、問診票としてレイアウトされた複数個のフイールドに、前述した住所・氏名等の外来者を特定する特定人情報ａと、この特定人情報ａに関連付けられたイメージデータｂと、当該特定人の問診結果を示す問診データｃとをそれぞれ一覧表形式で位置付けし、かつ、受付要因としての患者イメージファイル２３及び問診データファイル２５を受診年月日別（時系列）に蓄積する。問診票作成プログラム２６で作成された各蓄積データが、各患者の基本データｄと成る。
【００１７】
そこで、図５を参照にして患者に関する受付要因の相互関係を説明する。まず、本実施形態では、外来者として患者Ａ、患者Ｂ、患者Ｃ、看者Ｄを設定する。これらの患者Ａ〜Ｄは、受診年月日別に、第１受付要因として患者テーブル２１に格納される。この場合に於いて、患者受付手段２０は、各患者Ａ〜Ｄに第１要因コード「Ａ」、「Ｂ」、「Ｃ」、「Ｄ」を割り当てると共に、これらの第１要因コード「Ａ」、「Ｂ」、「Ｃ」、「Ｄ」を、図５の左側に示すように所定の記憶エリア３０に患者の氏名領域２９と対応付けて格納する。問診識別手段９は、これを外来者のマスタとして使用する。
【００１８】
次に、患者イメージファイル２３は、受診年月日別に、患者テーブル２１の前記記憶エリア３０に関連付けられた患者要因コード格納エリア３１を有している。したがって、この患者要因コード格納エリア３１には、患者Ａ〜Ｄの第１要因コード「Ａ」、「Ｂ」、「Ｃ」、「Ｄ」が格納される。そこで、患者イメージ受付手段２２が患者「Ａ」、「Ｂ」、「Ｃ」、「Ｄ」を受付すると、患者要因コード格納エリア３１に対応付して「患者Ａイメージ」、「患者Ｂイメージ」、「患者Ｃイメージ」、「患者Ｄイメージ」をそれぞれ患者イメージ記憶エリア３２に登録する。この時、当該患者は、携帯入力手段１の表示画面に表れた「少なくとも自己の氏名と顔」を見て、かつ、確認を促す表示枠ボックスを見た上で確認の文字にタッチ「確認（スタイラスペン）」する。
【００１９】
そうすると、問診識別手段９は、図５の右側に示すように所定の識別コード記憶エリア３３に患者の識別コード、例えば「００１」、「００２」、「００３」、「００４」を割付け格納する。これにより、受診年月日別に患者の氏名とその顔写真と患者識別コードが正確に関連付けられる。
【００２０】
次に図６を参照にして患者イメージファイル（受付要因）と問診データファイル（派生要因）との相互関係を説明する。制御手段５は、前述したように表形式でレイアウトされた問診票データをタッチパネル式の表示画面に表示している。今ここで「患者Ａ」が、２００２年１２月２０日に、特定人情報ａを入力し、かつ、イメージデータｂも入力し、患者イメージファイル２３にこれらの情報が一時的に格納されたものとする。
【００２１】
図６で示すように患者イメージファイル２３には、少なくとも患者「Ａの氏名」、患者「Ａの顔写真（Ａイメージ）」及び患者「Ａの識別コード００１」がそれぞれ所定の記憶エリア３１，３２，３３に格納されている。
【００２２】
一方、問診データファイル２５は、図６の右側に示すように、患者「Ａの識別コード００１」を格納する要因コード記憶エリア３５と、この要因コード記憶エリア３５に格納された識別コード００１に対応する患者名「Ａ」を格納する患者記憶エリア３６と、問診識別手段９により割り当てられた識別コードの一例としての派生要因コード「ａ００１」を格納する派生要因コード記憶エリア３７とを有している。
【００２３】
しかして、前記派生要因コード「ａ００１」は、当該患者Ａが表示画面７に表れている問診票３の問診内容に回答した後に、当該患者に対して確認を促す図示しない表示枠ボックスの確認文字（例えば点滅している）を見て、タッチ「確認（スタイラスペン）」した後に割り当てられる。このように派生要因コード「ａ００１」が付された後に患者Ａの基本データｄが出来上がる。
【００２４】
ところで、本実施の形態（第１実施例）では、携帯入力手段１が、その記憶手段６に問診票データ２６ａを有する問診票作成プログラム２６を格納し、該問診票作成プログラム２６は、問診票としてレイアウトされた複数個のフイールドに、住所・氏名等の外来者を特定する特定人情報ａと、この特定人情報ａに関連付けられた顔写真情報ｂと、当該特定人の問診結果の情報ｃとをそれぞれ一覧表形式で位置付けした後、当該患者（例えば患者Ａ）が、問診データファィル２５の内容を最終確認し、しかる後に有線、無線（本実施例では情報をガードした無線）等の出力手段１０を介してプリンター端末２に当該患者の基本データｄを送信し、これを受信したプリンター端末２は、当該外来者等がその表示画面１４に表れた基本データをその場で確認した後、端末制御手段等を介してカルテ用問診表３をプリントアウトする。この時、携帯入力手段１又は／及びプリンター端末２は、問診票としてレイアウトされた複数個のフイールドに、患者識別用の複数枚の小写真Ｐを横方向に並べる機能を有している。しかも、患者識別用の複数枚の小写真Ｐには、当該患者の氏名Ｎが貼り付けられる。
【００２５】
最後に図７は、制御手段６による制御手順を示すフローチャートである。Ｓ１０１は携帯入力手段１の表示画面７に記憶手段５に格納されている問診票作成プログラム２６の問診票データ２６ａを表示する。Ｓ１０２は患者に対して表示画面７に入力ペン１１を介して特定人情報を入力するように促す。Ｓ１０３は患者が特定人情報の意味を理解し、自分の住所・氏名、生年月日などの文字情報を入力する。
【００２６】
Ｓ１０４は患者に対して携帯入力手段１の撮影手段８を介して自分の顔を撮影するように促す。Ｓ１０５は、携帯入力手段１の撮影手段８を自分に向けて顔のイメージデータを入力する。
【００２７】
Ｓ１０６は、患者に対してレイアウトされた問診票を見ながら、問診データを入力するように促す。Ｓ１０７は、患者が問診票を見ながら問診に回答する。Ｓ１０８は患者が入力した問診票を確認した後に患者識別コード（例えば派生要因コード）が当該問診票に割り当てられたか否かを確認する。
【００２８】
制御手段５は患者識別コードが割り当てられたことを確認すると、基本データｄを出力（Ｓ１０９）する。Ｓ１１０は当該外来者（患者）がプリンター端末２の表示画面１４に表れた基本データｄをその場で確認をした後、該プリンター端末２によりカルテ用問診票３をプリントアウトする。なお、３台の携帯入力手段からの基本データｄは、少なくとも１台のプリンター端末２に集中的に集められる。このプリンター端末２はサーバ機能を有する。
【００２９】
したがって、このプリンター端末２を基準にして、いわゆるラン（病院内のネットワーク）を組むことができる。
【００３０】
【実施例】
この欄では、本実施の形態（第１実施例）と異なる実施例について説明する。なお、これらの実施例の説明にあたって、第１実施例と同一又は同様（機能が同一）の部分には、同一又は同様の符号を付し、重複する説明を省略する。
【００３１】
図８及び図９に示す第２実施例の外来者の問診票作成装置Ｘ１に於いて、第１実施例と主に異なる点は、プリンター端末２Ａにも、外来者を特定する住所・氏名などの文字情報入力手段４０が設けられていることである。この文字情報入力手段４０は、外来者が所有する「健康保険証４１」又は／及び「免許証４２」に記載されている住所・氏名などを読み取ることができる。
したがって、携帯入力手段１Ａは、プリンター端末２Ａと無線又は有線（本実施例では有線）４３と電気的に接続する入力手段４４を有し、入力手段４４を介して入力された特定人情報ａは、第１実施例と同様に記憶手段５Ａの患者テーブル２１に登録される。
【００３２】
なお、第２実施例の文字情報入力手段４０は、図示しないキーボードであっても良い。このように特定人情報ａの入力手段をサーバ側のプリンター端末２Ａに代えても、第１実施例と同一の作用・効果がある。
【００３３】
また、第２実施例に於いて、携帯入力手段１Ａのみではなく、プリンター端末２Ａにも、その端末記憶手段５０に、第１実施例と同様な問診票作成プログラム２６Ａを格納し、該問診票作成プログラム２６Ａは、問診票としてレイアウトされた複数個のフイールドに、住所・氏名等の外来者を特定する特定人情報ａと、この特定人情報に関連付けられた顔写真情報ｂと、当該特定人の問診結果の情報ｃとをそれぞれ一覧表形式で位置付けし、プリンター端末２Ａの端末制御手段５２が、端末側の問診票作成プログラム５１によって第１実施例と同様な制御手順に基つき基本データｄを作成し、カルテ用問診表をプリント手しても良い。
【００３４】
したがって、本発明では、少なくとも１台以上のタッチパネル式の携帯入力手段と、この携帯入力手段から出力された外来者の基本データをプリントアウトするプリンター端末とを基本的構成要件とする限り、次にようにプリンター端末側に情報の入力の一部をシフトしても良い。
【００３５】
図１０は情報の入力の一部をシフトした第３実施例の外来者の問診票作成装置Ｘ２である。この第３実施例に於いて、前記第１実施例と主に異なる点は、撮影手段８が携帯入力手段１Ｂ側ではなく、プリンター端末２Ｂ側に設けられていることである。
【００３６】
したがって、プリンター端末２Ｂは、当該患者の情報を受付要因して患者テーブル２１に患者情報を登録したり、またその問診識別手段９Ｂは第１受付要因と派生要因とを関連付けしたり、さらにはその記憶手段５０Ｂが、問診票作成プログラム２６Ｂを格納すると共に、問診票作成プログラム２６Ｂに基づいて作成した基本データｄを蓄積したりする（第２実施例の制御機能の一部を備える）。
【００３７】
しかして、第３実施例の制御手段６，５２Ｂの制御手順について簡単に説明すると、携帯入力手段１Ｂは、問診票作成プログラム２６を記憶する記憶手段５から制御手段６が読み出した問診票データをタッチパネル式の表示画面７に表示するステップと、当該患者の情報を受付要因としてプリンター端末２Ｂ側の患者テーブル２１に登録するステップと、一方、プリンター端末２Ｂに設けた顔写真撮影手段８によって撮影された当該患者の受付要因として顔写真のイメージデータｂを前記患者テーブル２１に登録された患者名に関連付けて患者イメージファィルに登録するステップと、少なくともプリンター端末２Ｂの制御手段５２Ｂに電気的に接続する問診識別手段９Ｂが患者イメージファィルに登録された患者の要因コードに関連付けて問診データファイル２５に患者の識別コードを割り当てるステップと、患者がプリンター端末２Ｂの表示手段１４で入力済の基本データｄを確認した後、問診データファイル２５の患者の基本データｄを、該プリンター端末２Ｂにより、少なくともカルテ用問診票３としてプリントアウトするステップとを備えている。
【００３８】
また図１１は情報の入力の一部をシフトした第４実施例の外来者の問診票作成装置Ｘ３である。この第４実施例に於いて、前記第１実施例と主に異なる点は、図１０の実施例とは逆に撮影手段８を携帯入力手段１Ｃ側に設け、一方、プリンター端末２Ｃ側に問診票データ２６ａを有する問診票作成プログラム２６Ｃを格納すると共に、該問診票作成プログラム２６Ｃに基づいて作成した基本データｄを蓄積する記憶手段５０Ｃを設けたことである。この問診票作成装置Ｘ３の場合、携帯入力手段１Ｃは少なくとも撮影手段８を有していれば十分であるから、タッチパネル式である必要はない。
【００３９】
しかして、第４実施例の制御手段６，５２Ｃの制御手順について簡単に説明すると、プリンター端末２Ｃは、その制御手段５２Ｃが記憶手段２６Ｃから問診票データを読み出してそのタッチパネル式表示手段１４に表示するステップと、当該外来者の情報を受付要因としてプリンター端末２Ｃ側の患者テーブル２１に登録するステップと、携帯入力手段１Ｃで入力された当該外来者の顔写真のイメージデータｂを前記患者テーブル２１に登録された患者名に関連付けて患者イメージファィルに登録するステップと、少なくとも制御手段５２Ｃに電気的に接続する問診識別手段９Ｃが患者イメージファィルに登録された患者の要因コードに関連付けて問診データファイル２５に患者の識別コードを割り当てるステップと、患者がその場で入力済の基本データｄを前記表示画面１４で確認した後、問診データファイル２５の患者の基本データｄを、該プリンター端末２Ｃにより、少なくともカルテ用問診票３としてプリントアウトするステップとを備えている。
【００４０】
このように第１実施例を基軸として情報の入力の一部をサーバ側のプリンター端末２Ｂ，２Ｃ側にそれぞれ移して行っても、プリンター端末２Ｂ，２Ｃの制御手段５２Ｂ，５２Ｃが、最終的に第１実施例における制御手段６と同一の制御手順をする限り、第１実施例と同様な効果を得ることができる。なお、第４実施例の問診票作成装置Ｘ３の場合には、外来者はプリンター端末２Ｃの表示画面１４を利用して問診内容に答える点も第１実施例と相違する。
【００４１】
【発明の効果】
以上の説明から明らかなように、本発明にあっては、次に列挙するような効果がある。
（１）病院の外来者の受付時に於いて、同じ時間帯に複数の外来者がそれぞれ携帯入力手段を操作することにより、カルテ用の問診票を効率的ないし自動的に作成することができる。
（２）外来者が携帯入力手段又は／及びプリンター端末の表示手段を見ながら簡単かつ正確にカルテ用の問診票を作成することができる。
（３）極力プリンター端末の台数を減らし、装置の設置スペースを取らないようにすることができる。
（４）問診票からその患者の顔写真と氏名とが一体となった識別シールを得ることができる。当該識別シールはその患者が使用する医療用具、薬剤容器、薬袋、装着バンドなど被識別対象物に貼付することができる。
【図面の簡単な説明】
図１〜図７は、本発明の第１実施例を示す各説明図。図８及び図９は、本発明の第２実施例を示す各説明図。図１０は本発明の第３実施例を示す説明図。図１１は本発明の第４実施例を示す説明図である。
【図１】本発明のシステムのブロック図。
【図２】ハード構成の外観図。
【図３】本発明で得られる問診票の一例を示す概略説明図。
【図４】ハードウェアの主たる構成図。
【図５】患者に関する受付要因の相互関係を示す概略説明図。
【図６】受付要因と問診データとの相互関係を示す概略説明図。
【図７】制御手段による制御手順を示すフローチャート。
【図８】第２実施例のハード構成の外観図。
【図９】第２実施例のシステムのブロック図。
【図１０】第３実施例を示す説明図。
【図１１】第４実施例を示す説明図。
【符号の説明】
Ｘ，Ｘ１，Ｘ２，Ｘ３…問診票作成装置、ａ…特定人情報、ｂ…イメージデータ、ｃ…問診データ、ｄ…基本データ、１，１Ａ，１Ｂ，１Ｃ…携帯入力手段、２，２Ａ，２Ｂ，２Ｃ…プリンター端末、３…問診票、５…記憶手段、６…制御手段、７…表示手段（画面）、８…顔写真撮影手段、９，９Ｂ，９Ｃ…問診識別手段、１０…出力手段、１１…入力ペン、１２…ペン差し込み部、１３…携帯入力手段差し込み部、１４…タッチパネル式の端末表示画面、１５…取り出し口、２０…患者受付手段、２１…患者テーブル、２２…患者イメージ受付手段、２３…患者イメージファイル、２４…問診データ受付手段、２５…問診データファイル、２６，２６Ａ，２６Ｂ，２６Ｃ…問診票作成プログラム、２９…看者名記憶領域、３０…患者要因コードの記憶エリア、３１…患者要因コード格納エリア、３２…患者イメージ記憶エリア、３６…患者記憶エリア、３７…派生要因コード記憶エリア、５０，５０Ｂ，５０Ｃ…、５２，５２Ｂ，５２Ｃ…（端末）制御手段。
【図１】
2004220157.tif 000003
【図２】
2004220157.tif 000004
【図３】
2004220157.tif 000005
【図４】
2004220157.tif 000006
【図５】
2004220157.tif 000007
【図６】
2004220157.tif 000008
【図７】
2004220157.tif 000009
【図８】
2004220157.tif 000010
【図９】
2004220157.tif 000011
【図１０】
2004220157.tif 000012
【図１１】
2004220157.tif 000013